(57)【要約】【課題】  既存のシャワーフックを利用して簡単に取り付けることができるとともに、シャワーヘッドを所望の高さに調節して設置させることができ、使い勝手をさらに良くすることができるシャワーホルダー取付装置を提供することにある。【解決手段】  浴室の壁面（１）に取り付けられた上下一対のシャワーフック（２）があって、この上下一対のシャワーフック（２）の内径にそれぞれ対応する上係合部（３）と下係合部（４）、この上係合部（３）と下係合部（４）とを繋ぐバー本体（５）、および、このバー本体（５）に対して上下にスライド自在でシャワーヘッド（６）が掛けられるフック部（７）を設けるとともに、上記上係合部（３）と上記下係合部（４）とが、上記上下一対のシャワーフック（２）にそれぞれ係合させて取り付けられた。【選択図】  図１
2005042437.tif 000002
【特許請求の範囲】
【請求項１】
浴室の壁面に取り付けられた上下一対のシャワーフックがあって、この上下一対のシャワーフックの内径にそれぞれ対応する上係合部と下係合部、この上係合部と下係合部とを繋ぐバー本体、および、このバー本体に対して上下にスライド自在でシャワーヘッドが掛けられるフック部を設けるとともに、上記上係合部と上記下係合部とが、上記上下一対のシャワーフックにそれぞれ係合させて取り付けられたことを特徴とするシャワーホルダー取付装置。
【請求項２】
上記上係合部と上記下係合部とが、上記シャワーフックに嵌め込まれる筒体、および、この筒体と同シャワーフックとを挟み込んで固定する取付部材からそれぞれ構成されていることを特徴とする請求項１記載のシャワーホルダー取付装置。
【請求項３】
上記筒体が、弾性を有しているものであることを特徴とする請求項２記載のシャワーホルダー取付装置。
【発明の詳細な説明】
【技術分野】
【０００１】
本発明は、シャワーホルダー取付装置に関するものであり、具体的には、バスルーム、シャワールームなどに設置されるものであり、シャワーヘッドを高さ調節することができる状態に保持されるのに有用なシャワーホルダー取付装置に関するものである。
【背景技術】
【０００２】
従来のシャワーホルダー取付装置としては、例えば、図５および図６に示すごとく、浴室の壁面（１）に上下一対のシャワーフック（２）が取り付けられているものであって、この上下一対のシャワーフック（２）のうち、使用者が使いやすい高さの方のシャワーフック（２）を選んで、同シャワーフック（２）にシャワーヘッド（６）が引っ掛けられていたものであった。そして、使用者が上の方のシャワーフック（２）を選んだ際には、同図６に示すごとき上の方のシャワーフック（２）にシャワーヘッド（６）を引っ掛け、下の方のシャワーフック（２）にシャワーホース（１３）を通すような工夫がなされてもかまわないものであった。
【０００３】
ところが、このようなシャワーホルダー取付装置においては、上下一対のシャワーフック（２）のうち、使用者が使いやすい高さの方のシャワーフック（２）を選んで、同シャワーフック（２）にシャワーヘッド（６）を引っ掛けてというように一応使用することができるものの、使用者にとってはシャワーフック（２）を所望の高さで使用したいという要望もあり、既存のシャワーフック（２）を利用して使い勝手をさらに良くするという点で改善が望まれていたものであった。
【特許文献１】特開２００２−３６４０３７号公報
【発明の開示】
【発明が解決しようとする課題】
【０００４】
一方、上記の特許文献１に示された特開２００２−３６４０３７号公報のようなものも考えられていた。具体的には、図７ないし図９に示すごとく、浴室の壁面（１）の上下２箇所に同壁面（１）に固定ネジ（１６）により直に取り付け固定される取付部（１５）を形成し、この取付部（１５）を繋ぐように長尺なバー本体（５）が取り付けられ、このバー本体（５）に対して上下にスライド自在でシャワーヘッド（６）が掛けられるフック部（７）を設けるとともに、このフック部（７）はレバー部材（１４）によりバー本体（５）に圧接するようになっているものであった。また、上記固定ネジ（１６）のネジ穴（１８）を塞ぐように、同図９に示すごとき上記取付部（１５）の先端部にキャップ（１７）が形成されているといった工夫がなされていてもかまわないものであった。
【０００５】
このような構成により、上記レバー部材（１４）の側面を手で押すと、バー本体（５）に対しての圧接が解除されて上下にスライド自在となり、所望の高さまでフック部（７）をスライドさせて、同レバー部材（１４）から手を離すと、この所望の高さでフック部（７）はレバー部材（１４）によりバー本体（５）に再び圧接するようになっており、このようにして、所望の高さでの使用ができるようになっているものであった。
【０００６】
ところで、上述した特許文献１の場合であると、シャワーヘッド（６）を所望の高さに設置して使用することができるようになっているものの、既存のシャワーフック（２）を利用して使い勝手をさらに良くするというものではなく、背景技術で示した従来のシャワーホルダー取付装置に対応することができるものではなかった。
【０００７】
本発明は、上述の事実に鑑みてなされたものであって、その目的とするところは、既存のシャワーフックを利用して簡単に取り付けることができるとともに、シャワーヘッドを所望の高さに調節して設置させることができ、使い勝手をさらに良くすることができるシャワーホルダー取付装置を提供することにある。
【課題を解決するための手段】
【０００８】
上記課題を解決するために、本発明においてはつぎのような技術的手段を講じている。すなわち、本発明の請求項１に係るシャワーホルダー取付装置は、浴室の壁面（１）に取り付けられた上下一対のシャワーフック（２）があって、この上下一対のシャワーフック（２）の内径にそれぞれ対応する上係合部（３）と下係合部（４）、この上係合部（３）と下係合部（４）とを繋ぐバー本体（５）、および、このバー本体（５）に対して上下にスライド自在でシャワーヘッド（６）が掛けられるフック部（７）を設けるとともに、上記上係合部（３）と上記下係合部（４）とが、上記上下一対のシャワーフック（２）にそれぞれ係合させて取り付けられたことを特徴としている。
【０００９】
また、本発明の請求項２に係るシャワーホルダー取付装置は、上記上係合部（３）と上記下係合部（４）とが、上記シャワーフック（２）に嵌め込まれる筒体（８）、および、この筒体（８）と同シャワーフック（２）とを挟み込んで固定する取付部材（９）からそれぞれ構成されていることを特徴としている。
【００１０】
さらに、本発明の請求項３に係るシャワーホルダー取付装置は、上記筒体（８）が、弾性を有しているものであることを特徴としている。
【発明の効果】
【００１１】
本発明のシャワーホルダー取付装置によると、浴室の壁面（１）に取り付けられた上下一対のシャワーフック（２）にバー本体（５）に形成されている上係合部（３）と下係合部（４）とを上記上下一対のシャワーフック（２）にそれぞれ係合させるだけで、既存のシャワーフック（２）を利用して簡単に取り付けることができるものであり、しかも、シャワーヘッド（６）が掛けられるフック部（７）は、バー本体（５）に対して上下にスライド自在であるので、シャワーヘッド（６）を所望の高さに調節して設置させることができて、使い勝手をさらに良くしているものである。
【００１２】
したがって、本発明は、既存のシャワーフック（２）を利用して簡単に取り付けることができるとともに、シャワーヘッド（６）を所望の高さに調節して設置させることができ、使い勝手をさらに良くすることができるものである。
【発明を実施するための最良の形態】
【００１３】
以下、この発明を実施するための最良の形態について、図面を参照しながら詳細に説明する。
【００１４】
図１は、本発明の一実施形態に係るシャワーホルダー取付装置を示した要部のみの斜視図である。図２は、図１のシャワーホルダー取付装置の断面図である。図３は、図１のシャワーホルダー取付装置を分解した斜視図である。図４は、本発明の他の一実施形態に係るシャワーホルダー取付装置を示した要部のみの分解斜視図である。
【００１５】
本発明のシャワーホルダー取付装置は、バスルーム、シャワールームなどに設置されるものであり、シャワーヘッドを高さ調節することができる状態に保持されるのに有用なものである。具体的には、図１ないし図４に示すごとく、浴室の壁面（１）に取り付けられた上下一対のシャワーフック（２）があって、この上下一対のシャワーフック（２）の内径にそれぞれ対応する上係合部（３）と下係合部（４）、この上係合部（３）と下係合部（４）とを繋ぐバー本体（５）、および、このバー本体（５）に対して上下にスライド自在でシャワーヘッド（６）が掛けられるフック部（７）を設けるとともに、上記上係合部（３）と上記下係合部（４）とが、上記上下一対のシャワーフック（２）にそれぞれ係合させて取り付けられているものである。
【００１６】
上記シャワーフック（２）は、図１ないし図４に示すごとく、バスルーム、シャワールームなどといった家庭などの浴室の壁面（１）に取り付けられているものであって、上下一対のものである。このシャワーフック（２）は、図示の形状やサイズなどのものに限られず、シャワーホース（１３）と繋がっているシャワーヘッド（６）が掛けられるものであれば特に制限されるものではないものである。
【００１７】
上記上係合部（３）と下係合部（４）とは、図１ないし図４に示すごとく、上記上下一対のシャワーフック（２）の内径にそれぞれ対応しているものである。具体的には、この上係合部（３）は、上側のシャワーフック（２）に係合しているものであって、上記上下一対のシャワーフック（２）のうち、上側のシャワーフック（２）の内径に対応していれば良いものである。また、下係合部（４）は、下側のシャワーフック（２）に係合しているものであって、上記上下一対のシャワーフック（２）のうち、下側のシャワーフック（２）の内径に対応していれば良いものである。
【００１８】
上記バー本体（５）は、図１ないし図４に示すごとく、長尺なものであって、上記上係合部（３）と上記下係合部（４）とを繋いでいるものである。このバー本体（５）としては、シャワーヘッド（６）を充分に支持する強度を有するものであれば、どのような材質のものであっても良く、具体的には、ステンレス、鉄などの金属製のものであってもかまわないし、アクリル樹脂やポリオレフィン樹脂やＡＢＳ樹脂などといった樹脂製のものでもかまわないものである。
【００１９】
上記フック部（７）は、図１ないし図４に示すごとく、上記バー本体（５）に対して上下にスライド自在なものである。このフック部（７）には、シャワーヘッド（６）が掛けられるものである。このフック部（７）は、バー本体（５）に対して上下にスライドするが、所望の高さに調整されると、例えば、ネジの締め付けなどにより、同バー本体（５）に対して固定されるようになっているものである。
【００２０】
本発明では、図１ないし図４に示すごとく、上記上係合部（３）と上記下係合部（４）とが、上記上下一対のシャワーフック（２）にそれぞれ係合させて取り付けられているものである。例えば、図１ないし図３に示すごとき場合であると、上記上係合部（３）と上記下係合部（４）とにそれぞれ設けられている取付部材（９）によって挟み込みながら、シャワーフック（２）に係合させて取り付けられているものであるが、図４に示すごとき場合であると、単に上下のシャワーフック（２）に係合させて取り付けられているだけのものであるが、いずれの場合でもかまわないものである。
【００２１】
本発明は、このような構成をとることによって、浴室の壁面（１）に取り付けられた上下一対のシャワーフック（２）にバー本体（５）に形成されている上係合部（３）と下係合部（４）とを上記上下一対のシャワーフック（２）にそれぞれ係合させるだけで、既存のシャワーフック（２）を利用して簡単に取り付けることができるものであり、しかも、シャワーヘッド（６）が掛けられるフック部（７）は、バー本体（５）に対して上下にスライド自在であるので、シャワーヘッド（６）を所望の高さに調節して設置させることができて、使い勝手をさらに良くしているものである。
【００２２】
したがって、本発明は、既存のシャワーフック（２）を利用して簡単に取り付けることができるとともに、シャワーヘッド（６）を所望の高さに調節して設置させることができ、使い勝手をさらに良くすることができるものである。
【００２３】
また、図１ないし図３に示すごとく、上記上係合部（３）と上記下係合部（４）とが、上記シャワーフック（２）に嵌め込まれる筒体（８）、および、この筒体（８）と同シャワーフック（２）とを挟み込んで固定する取付部材（９）からそれぞれ構成されているものであると、筒体（８）をシャワーフック（２）に嵌め込んでから、この筒体（８）と既存で上下一対のシャワーフック（２）とをそれぞれ上下で取付部材（９）にて挟み込んで固定するだけでバー本体（５）の取り付けが完結するものであり、結果として、既存のシャワーフック（２）を利用してより一層簡単に取り付けることができるものである。しかも、取付部材（９）の挟み込みの強弱により、バー本体（５）の長さなどに多少のバラツキがあっても充分に対応して、取付部材（９）にて同バー本体（５）をシャワーフック（２）に取り付けることができるものであり、非常に好ましいものである。
【００２４】
具体的には、図１ないし図３に示すごとく、上下一対のシャワーフック（２）のそれぞれに対して、筒体（８）をシャワーフック（２）にそれぞれ嵌め込んでから、バー本体（５）の端部（１１）に面する第１の取付部材（９ａ）と、同バー本体（５）に直に通され、同バー本体（５）の端部（１１）を調整ネジ（１２）で固定される第２の取付部材（９ｂ）とでそれぞれのシャワーフック（２）を挟み込んで取付ネジ（１０）にて固定するだけでバー本体（５）の取り付けが完結するものである。しかも、バー本体（５）の長さにより、予め第２の取付部材（９ｂ）の位置を調整ネジ（１２）にて調整するだけでバー本体（５）の長さなどに多少のバラツキがあっても充分に対応して、取付部材（９）にて同バー本体（５）をシャワーフック（２）に取り付けることができるものである。
【００２５】
さらに、上記筒体（８）が、弾性を有しているものであると、取付部材（９）での筒体（８）とシャワーフック（２）との挟み込みに若干の強弱をつけても、弾性を有している筒体（８）がその強弱に対応して伸び縮みするので、バー本体（５）の長さなどに多少のバラツキがあっても充分に対応して、取付部材（９）にて同バー本体（５）をシャワーフック（２）に取り付けることができるものである。すなわち、既存のシャワーフック（２）を利用してより一層簡単に取り付けることができるものである。また、弾性を有している筒体（８）を変形させることにより、シャワーフック（２）の内面形状に馴染ませて取り付けることができるので、バー本体（５）の取り付け後の状態も非常に安定するものである。
【００２６】
上記弾性を有している筒体（８）としては、例えば、ゴム製のものが採用されているものであるが、その他にも弾性を有することができるものであれば、その材質はこれに制限されるものではないものである。
【図面の簡単な説明】
【００２７】
【図１】本発明の一実施形態に係るシャワーホルダー取付装置を示した要部のみの斜視図である。
【図２】図１のシャワーホルダー取付装置の断面図である。
【図３】図１のシャワーホルダー取付装置を分解した斜視図である。
【図４】本発明の他の一実施形態に係るシャワーホルダー取付装置を示した要部のみの分解斜視図である。
【図５】一従来例に係るシャワーホルダー取付装置を示した斜視図である。
【図６】図５のシャワーホルダー取付装置の側面図である。
【図７】他の一従来例に係るシャワーホルダー取付装置を示した要部のみの斜視図である。
【図８】図７のシャワーホルダー取付装置の側面図である。
【図９】図７のシャワーホルダー取付装置の一部を断面した側面図である。
【符号の説明】
【００２８】
１    壁面
２    シャワーフック
３    上係合部
４    下係合部
５    バー本体
６    シャワーヘッド
７    フック部
８    筒体
９    取付部材
【図１】
2005042437.tif 000003
【図２】
2005042437.tif 000004
【図３】
2005042437.tif 000005
【図４】
2005042437.tif 000006
【図５】
2005042437.tif 000007
【図６】
2005042437.tif 000008
【図７】
2005042437.tif 000009
【図８】
2005042437.tif 000010
【図９】
2005042437.tif 000011